(57)【要約】【課題】  記録サイズと記録メディアのサイズの違いを、扱い者に通知し、縮小で印刷する【解決手段】  ホスト側からの記録データサイズ（記録幅、記録長さ）を印刷の前に記録装置側に通知し、記録装置側では現在の記録装置の記録メディアサイズを確認し、ホストから通知された記録データサイズと記録メディアサイズを比較し記録メディアが小さいときにホスト側に通知し干すと装置内で縮小処理（位置合わせも含む）を実施して再度印刷を実行し前記のように無駄な記録メディアを発生させないようにしたもの。【選択図】  図１
2005148791.tif 000002
【特許請求の範囲】
【請求項１】
印刷データを作成するホスト装置とホスト装置で作成した印刷データを印刷する印刷システムにおいて、ホスト装置側から記録メディアに印刷するサイズを記録装置側に知らせる第一の手段と、記録装置側では記録メディアの幅と長さを検出する第二の手段を持ち、ホスト装置から入力された概記録サイズと記録装置側で検出した記録メディアのサイズ（幅、長さ）とを比較し一致している場合にはそのまま記録処理を実行する。一致しない場合は、ホスト装置側にその旨を通知する第３の手段を持つ記録システム、１枚の記録メディアに記録するよう自動的に縮小、を行い記録する記録システム。
【請求項２】
請求項１の記録システムで記録データサイズが大きい時は、ホスト装置側でそのまま複数ページに記録するか記録データを縮小して印刷するかを判断させる。
縮小を選択した場合には、ホスト装置側で表示器に記録メディアの原点（記録メディアの左上が原点）とし縮小画像のイメージを表示する。更に、表示器には、記録メディアのどの位置に記録するかの表示をしそのままの位置でよければそのまま印刷実行をする。
位置を変更したい場合には、原点の位置を上下左右に移動可能なホスト装置。
【発明の詳細な説明】
【技術分野】
【０００１】
本発明は、ホスト装置と接続して使用される記録システムに関するものであり、記録装置に搭載されている記録メディアの情報をホスト側に通知しその情報と印刷情報とにより原寸で印刷するか、縮小で印刷するかを扱い者に判断させ所望の印刷結果を得るような記録システムである。
【背景技術】
【０００２】
従来、縮小処理はホスト側単独で行い縮小率を決定しその率に従い記録データを作成して記録装置に送っていた。この為、記録装置には大きな記録紙が搭載されているにもかかわらず、ホスト側で縮小印刷を実施してしまい、最悪の状態では記録した結果の用紙を廃却し、新規の記録紙に再度記録するなどの問題があった。
【０００３】
特許文献１には、記録媒体の存在しない部分に記録されるのを防止することを目的として、記録装置に記録媒体が給紙されたときに、記録媒体の幅検知手段により記録媒体の幅、位置を検知し、記録紙幅と記録データ幅を比較し、記録データの幅の方が大きい場合には検知された記録紙の幅に応じて記録データの大きさを縮小して記録を行う構成が開示されている。
【０００４】
一般的に、プリンタは、接続されるホスト機器から転送される記録データに従ってプリントを行うよう構成されており、また、ホストによって記録される用紙のサイズを指定し、そのサイズに合った記録データをホストが生成する。この構成においては、ホスト装置が一度画像データを転送した後に、プリンタにセットされている用紙サイズとの不一致があった場合には、エラーを出してユーザーに確認させていた。
【特許文献１】特開平０６−３４０１４１号公報
【発明の開示】
【発明が解決しようとする課題】
【０００５】
本発明は、ホストによって生成された記録データで記録されるサイズと、記録装置側にセットされている記録用紙のサイズとが不一致の場合に、上述のように用紙が無駄に消費されるという問題や、ユーザーが確認した後にホストからの指示を変更したり、用紙を適正なサイズに変えたりしなければならないという、ユーザーに不便な構成の問題を解決することを目的とする。
【０００６】
本発明によれば、ホスト側からの記録データサイズ（記録幅、記録長さ）を印刷の前に記録装置側に通知し、記録装置側では現在の記録装置の記録メディアサイズを確認し、ホストから通知された記録データサイズと記録メディアサイズを比較し記録メディアが小さいときにホスト側に通知しホスト装置内で縮小処理（位置合わせも含む）を実施して再度印刷を実行することで、前記のように無駄な記録メディアを発生させないようにし、また、ユーザーの使い勝手に優れた構成を提供することが可能となる。
【課題を解決するための手段】
【０００７】
問題を解決するために、ホスト側では、これから記録する記録情報の印刷サイズ（記録幅と記録長さ）を印刷の前に記録装置に送る。記録装置側では、記録装置に装着されている記録メディアサイズを確認しその結果記録データサイズが記録メディアサイズを超えている場合にホスト側にその旨を通知する。一方ホストでは、記録装置からの情報により縮小処理画面を開きその画面上で扱い者が印刷したい書式で印刷を出来るよう指定する。
【発明の効果】
【０００８】
以上説明したように、本発明の記録システムを使用すれば、記録前に記録データの印刷サイズに応じて記録装置と情報の授受を実施することにより適切なサイズで縮小処理を実行することが出来るので無駄な印刷をなくすことが出来る。
【発明を実施するための最良の形態】
【０００９】
本発明を、図１から３を使用して詳細に説明する。
【００１０】
記録システムで記録動作を実行すると記録動作に先立ち図１のＳ１００１でこれから記録しようとしている記録データの記録サイズ（記録幅と記録長さを呼ぶ。以後この言葉を記録データサイズと呼ぶ。）を求める。その後、Ｓ１００１で求められた記録データサイズを記録装置に通知（図１の破線（ａ））する。
【００１１】
記録装置側は、ホスト装置側の記録データサイズの通知を受け既にＳ１１００で記録メディアサイズ読み取り部２００２７により測定した記録メディアのサイズとをＳ１１０１で比較を実行する。
【００１２】
その結果記録データサイズと記録メディアサイズが同一である場合、又は記録メディアの方が記録データサイズよりも大きいときは、Ｓ１１０３に移行してホスト装置にサイズが一致していることを通知（図１の（ｂ））する。一方サイズが異なる場合には、サイズが異なる場合（記録メディア内に記録データサイズが入らないときに通知。）には、サイズが異なる旨をホスト装置に通知（図１の（ｂ’））する。更に、サイズが異なる場合には、記録メディアサイズ（記録メディアの幅と記録メディアの長さ）をＳ１１０５によりホスト装置に通知する。
【００１３】
ホスト装置は、記録装置側の情報ｂ又はｂ’の情報を受け取りＳ１００３で記録データサイズと記録メディアサイズの差異が無いかを記録装置からの情報を確認して判断する。記録サイズの差が無いと判断されるとそのまま記録できるのでＳ１０１０へ移行する。
【００１４】
一方、記録サイズに差があると記録装置から通知された場合にはＳ１００４に移行してホスト装置の表示器に図３の縮小設定画面を表示する。その際に現在の記録メディアで記録した場合の縮小率を自動計算し表示する。記録メディアのサイズは、Ｓ１１０５の情報を利用して表示と計算を実施する。
【００１５】
Ｓ１００５では、現在表示されている状態で印字しても良いかどうかの判断を促す。（図３の画面参照）もしこのままで良ければ図３の３００７ボタンを押し印刷を実行する。そうするとホスト装置側はＳ１０１０に移行して、印刷を実行する。
【００１６】
この状態で印刷をしたくない場合は、縮小率の変更（図３の３００４）か印刷位置の変更をしたいので、Ｓ１００６に移行して縮小率の変更か否かの判断をする。縮小率の変更をしないのであればＳ１００８へ移行して次の処理に移行する。縮小率の変更であればＳ１００８へ移行して図３の画面３００４を操作して縮小率を設定する。
【００１７】
その後、Ｓ１００８に移行して印刷位置の変更か否かの判断をする。印刷位置の変更をするのであれば、Ｓ１００９へ移行して、図３の３００５を操作して印刷位置を変更する。
【００１８】
通常は、印刷位置は３００３からとなっている。この移動量は、図３の３００５の入力値により制御され、特に扱い者の利用方法に従って縮小記録の位置を適切に決定することが可能となる。特に従来は縮小原点である３００３の位置は変更できないものが多く綴じ代部分が確保できないものが多かった。本発明のように縮小と記録位置を自在に変更することにより扱い者に有効な記録システムを提供することが可能となった。
【００１９】
その後、Ｓ１０１０に移行して印刷を実行する。
【００２０】
そうすると、記録装置側は図１の（ｃ）の印刷データの入力によりＳ１１０６により印刷処理を実行する。
【図面の簡単な説明】
【００２１】
【図１】実施例のフローチャート
【図２】実施例の構成図
【図３】実施例の縮小設定画面例
【符号の説明】
【００２２】
２０１０  ホストＰＣ
２０２０  記録装置
２０２１  インタフェイス部
２０２２  操作表示部
２０２３  種制御部
２０２４  記憶部
２０２５  記録部と記録紙サイズ検出部を含む印刷ユニット
２０２６  記録部
２０２７  記録紙サイズ検出装置
３００１  ホスト装置の縮小設定画面
３００２  検出記録メディアサイズ
３００３  縮小原点
３００４  縮小率指定（ユーザー入力）
３００５  記録位置の移動指定（ユーザー入力）
【図１】
2005148791.tif 000003
【図２】
2005148791.tif 000004
【図３】
2005148791.tif 000005